(57)【特許請求の範囲】
【請求項１】
ドットマトリクス型の表示手段と、表示すべき複数桁の数値を前記表示手段の表示画面に表示させるように制御する制御手段とを有する表示制御装置であって、
前記数値を構成する数字の中に連続する特定数字１が含まれている場合、前記数値の表示位置を変更する表示位置変更手段を備え、
前記表示位置変更手段は、前記連続する特定数字１同士の表示間隔が他の数字同士の表示間隔と不均一になる場合に、前記連続する特定数字１同士の表示位置を他の数字同士の表示間隔と均一になるように変更すると共に、前記数値全体の表示位置を、前記表示手段の画面に表示される他の意匠表示部の表示位置を基準とする所定位置に変更する
ことを特徴とする表示制御装置。
【請求項２】
ドットマトリクス型の表示手段と、表示すべき複数桁の数値を前記表示手段の表示画面に表示させるように制御する制御手段とを有する表示制御装置であって、
前記数値を構成する数字の中に連続する特定数字１が含まれている場合、前記数値の表示位置を変更する表示位置変更手段を備え、
前記表示位置変更手段は、前記連続する特定数字１同士の表示間隔が他の数字同士の表示間隔と不均一になる場合に、前記連続する特定数字１同士の表示位置を他の数字同士の表示間隔と均一になるように変更すると共に、前記数値全体の表示位置を、前記表示手段の画面に表示される他の複数桁の数値の表示位置を基準とする所定位置に変更する
ことを特徴とする表示制御装置。
【発明の詳細な説明】
【技術分野】
【０００１】
本発明は、表示制御装置に関し、特に、ドットマトリクス型表示器の表示制御装置に関する。
【背景技術】
【０００２】
従来、車両の走行状態（たとえば、走行速度）をデジタル式の数値で表示する際、たとえば図６（Ａ）に示すように、セグメント形表示器を用いて、セグメントの点灯／非点灯の制御で行うものがある。７セグメントタイプでは、表示したい数字に合わせてセグメントａ〜ｇの各々の点灯／非点灯が制御される。例として、数字「１」は、セグメントｂ，ｃが点灯、残りのセグメントが非点灯とされる。数字「２」は、セグメントａ，ｂ，ｄ，ｅ，ｇが点灯、残りのセグメントが非点灯とされる。数字「３」は、セグメントａ，ｂ，ｃ，ｄ，ｇが点灯、残りのセグメントが非点灯とされる。数字「４」は、セグメントｂ，ｃ，ｆ，ｇが点灯、残りのセグメントが非点灯とされる。
【０００３】
また、図６（Ｂ）に示すように、ドットマトリクス型表示器を用いて、ドットの点灯／非点灯で数字を表すものもある（特許文献１）。たとえば、５×５（５行５列）ドットマトリクスタイプでは、表示したい数字に合わせて各ドットの点灯／非点灯が制御される。例として、数字「１」は、１行３，４列、２行４列、３行４列、４行４列、５行４列のドットが点灯、残りのドットが非点灯とされる。数字「２」は、１行全列、２行５列、３行全列、４行１列、５行全列のドットが点灯、残りのドットが非点灯とされる。数字「３」は、１行全列、２行５列、３行２，３，４，５列、４行５列、５行全列のドットが点灯、残りのドットが非点灯とされる。数字「４」は、１行３，４列、２行２，４列、３行１，４列、４行全列、５行４列のドットが点灯、残りのドットが非点灯とされる。
【特許文献１】特開平１０−６３２１５号公報
【発明の開示】
【発明が解決しようとする課題】
【０００４】
しかしながら、これらの数字表示は、間隔および位置が固定されている。そのため、複数桁の数値を表示する際、数字間隔が不均一になったり、数字表示中心がずれたりする場合があり、違和感のある視認になってしまうという問題がある。
【０００５】
たとえば、図７（Ａ）に示すように、数値「１１２」の表示において、左側の数字「１」および真中の数字「１」の間隔と、真中の数字「１」および右側の「２」の間隔が不均一となっている。すなわち、左側の数字「１」の下端部と真中の数字「１」の下端部の間隔は、真中の数字「１」の下端部と数字「２」の右端部の間隔と同じになっているが、左側の数字「１」の上端部と真中の数字「１」の上端部の間隔と、真中の数字「１」の上端部と数字「２」の上側左端部の間隔は不均一になっている。
【０００６】
一方、図７（Ｂ）に示すように、数値「１２３」の表示では、「１」および「２」の間隔と、「２」および「３」の間隔が均一となっている。すなわち、中央の数字「２」の下側右端部と左側の数字「１」の下端部の間隔と、数字「２」の下側右端部と右側の数字「３」の下側右端部の間隔は均一であり、かつ、数字「２」の上側左端部と数字「１」の上端部の間隔と、数字「２」の上側右端部と数字「３」の上側左端部の間隔も均一となっている。
【０００７】
したがって、数値「１２３」は、バランスがよい違和感のない数字の並びになっているのに対して、数値「１１２」は、一部に不均一な部分があるため違和感のある視認性となっている。
【０００８】
また、図７（Ｃ）に示すように、数値「１０」の表示において、左側の数字「１」と右側の数字「０」の表示の中央位置と画素の中央位置とがずれている。
【０００９】
一方、図７（Ｄ）に示すように、数値「２０」の表示において、左側の数字「２」と右側の数字「０」の表示の中央位置と画素の中央位置とが一致している。
【００１０】
したがって、数値「２０」は、バランスがよい違和感のない数字の並びになっているのに対して、数値「１０」は、数字表示中心がずれているため違和感のある視認性となっている。
【００１１】
そこで、本発明は、上記のような問題点に着目し、視認性が良く違和感のない表示が可能な表示制御装置を提供することを目的とする。
【課題を解決するための手段】
【００１２】
請求項１記載の発明は、ドットマトリクス型の表示手段と、表示すべき複数桁の数値を前記表示手段の表示画面に表示させるように制御する制御手段とを有する表示制御装置であって、前記数値を構成する数字の中に連続する特定数字１が含まれている場合、前記数値の表示位置を変更する表示位置変更手段を備え、前記表示位置変更手段は、前記連続する特定数字１同士の表示間隔が他の数字同士の表示間隔と不均一になる場合に、前記連続する特定数字１同士の表示位置を他の数字同士の表示間隔と均一になるように変更すると共に、前記数値全体の表示位置を、前記表示手段の画面に表示される他の意匠表示部の表示位置を基準とする所定位置に変更することを特徴とする。
【００１４】
請求項２記載の発明は、ドットマトリクス型の表示手段と、表示すべき複数桁の数値を前記表示手段の表示画面に表示させるように制御する制御手段とを有する表示制御装置であって、前記数値を構成する数字の中に連続する特定数字１が含まれている場合、前記数値の表示位置を変更する表示位置変更手段を備え、前記表示位置変更手段は、前記連続する特定数字１同士の表示間隔が他の数字同士の表示間隔と不均一になる場合に、前記連続する特定数字１同士の表示位置を他の数字同士の表示間隔と均一になるように変更すると共に、前記数値全体の表示位置を、前記表示手段の画面に表示される他の複数桁の数値の表示位置を基準とする所定位置に変更することを特徴とする。
【発明の効果】
【００１６】
請求項１記載の発明によれば、ドットマトリクス型の表示手段と、表示すべき複数桁の数値を表示手段の表示画面に表示させるように制御する制御手段とを有する表示制御装置であって、数値を構成する数字の中に連続する特定数字１が含まれている場合、数値の表示位置を変更する表示位置変更手段を備え、表示位置変更手段は、連続する特定数字１同士の表示間隔が他の数字同士の表示間隔と不均一になる場合に、連続する特定数字１同士の表示位置を他の数字同士の表示間隔と均一になるように変更すると共に、前記数値全体の表示位置を、前記表示手段の画面に表示される他の意匠表示部の表示位置を基準とする所定位置に変更するので、数値を構成する各数字の間隔が全て均一となり、視認性が良く違和感のない表示が可能となる。
【００１８】
また、数値を構成する数字の中に特定数字が含まれる場合も、含まれない場合と同様に他の意匠表示部に対して違和感の無い表示が可能となる。
【００１９】
請求項２記載の発明によれば、ドットマトリクス型の表示手段と、表示すべき複数桁の数値を表示手段の表示画面に表示させるように制御する制御手段とを有する表示制御装置であって、数値を構成する数字の中に連続する特定数字１が含まれている場合、数値の表示位置を変更する表示位置変更手段を備え、表示位置変更手段は、連続する特定数字１同士の表示間隔が他の数字同士の表示間隔と不均一になる場合に、連続する特定数字１同士の表示位置を他の数字同士の表示間隔と均一になるように変更すると共に、数値全体の表示位置を、表示手段の画面に表示される他の複数桁の数値の表示位置を基準とする所定位置に変更するので、数値を構成する数字の中に特定数字が含まれる場合も、含まれない場合と同様に他の複数桁の数字の表示位置に対して違和感の無い表示が可能となる。
【発明を実施するための最良の形態】
【００２０】
以下、本発明に係る表示制御装置の実施の形態について、図面に基づき説明する。
【００２１】
図１は、本発明に係る表示制御装置の実施の形態を適用した車両用表示装置の構成を示すブロック図、図２は、表示制御処理を説明するフローチャート、図３〜図５は、それぞれ、具体的な表示制御の例を説明する図である。
【００２２】
図１において、車両用表示装置は、メインＣＰＵ１、Ｉ／Ｏ（入出力）回路２、ＥＥＰＲＯＭ３、制御手段および表示位置変更手段としてのグラフィックコントロールＣＰＵ４、グラフィックコントロールＩＣ５、グラフィックデータメモリ６、表示手段としてのドットマトリクス型表示器７から構成される。
【００２３】
ドットマトリクス型表示器７は、たとえば、ＬＣＤ（液晶ディスプレイ）からなる。ドットマトリクス型表示器７は、フルグラフィックメータとして働き、車両側から供給される各種検出信号に基づいて、走行速度を示す速度計、エンジン回転数を示す回転計、燃料残量を示す燃料計等のメータを表示画面に画像表示する。
【００２４】
メインＣＰＵ１は、車両側のノード１０から車両の走行状態を検出した各種検出信号、たとえば走行速度信号（ＳＰＥＥＤ）をＩ／Ｏ回路２を介して、ＣＡＮ通信部で受信する。ＣＡＮ通信部は、通信プロトコルとしてＣＡＮ（Controller Area Network ）を用いている。
【００２５】
メインＣＰＵ１は、受信した走行速度信号（ＳＰＥＥＤ）等の各種検出信号を演算処理して表示値信号を出力し、表示グラフィックコントロールＣＰＵ４へ供給する。グラフィックコントロールＣＰＵ４は、メインＣＰＵ１から供給された表示値信号を取り込み、描画処理して画像表示信号を出力する。グラフィックコントロールＣＰＵ４は、画像表示信号をグラフィックデータメモリ６に格納すると共に、グラフィックコントロールＩＣ５へ出力する。
【００２６】
グラフィックコントロールＩＣ５は、供給された画像表示信号により、ドットマトリクス型表示器７を駆動する。グラフィックコントロールＩＣ５は、供給された画像表示信号が複数のレイヤ構造の合成画面としてドットマトリクス型表示器７の表示画面に表示されるように駆動する。たとえば、グラフィックコントロールＩＣ５は、画像表示信号を６枚の画面のウインドウ形式で表示し、重ね合わせることができる。
【００２７】
走行速度は、ドットマトリクス型表示器７の表示画面にデジタル形式の複数桁の数値で表示される。走行速度は、たとえば３桁の数値で表示され、３桁の数値を構成する各数字の表示位置は予め決まっている。
【００２８】
そこで、走行速度を示す３桁の数値の中に特定の数字、たとえば「１」が含まれている場合、図７（Ａ）で示しかつ説明したように、不均一な数字間隔となる部分があり違和感のある表示となるので、本発明では、グラフィックコントロールＣＰＵ４により、数値を表す各数字の間隔が均等または予め設定した位置になるように、ドットを補正して表示する。
【００２９】
たとえば、図３に示すように、走行速度のように１〜３桁で変化する数値において３桁の数値が「１１２」の場合は、左側の数字「１」の表示位置を変更前の当初の位置から右側にずらし、数字「１」同士の表示間隔と、数字「１」および「２」の表示間隔が均一になるように変更する。一方、図７（Ｂ）に示すように、３桁の数値が「１２３」等の場合は、左側の数字「１」の表示位置は変更せずそのままとする。
【００３０】
このように、他の数字と特定数字「１」の表示間隔が他の数字同士の表示間隔と不均一になる場合に、均一になるように数値の表示位置を変更するので、数値を構成する各数字の間隔が全て均一となり、視認性が良く違和感のない表示が可能となる。
【００３１】
また、図４に示すように、何らかの走行状態を示す変化する２桁の数値が、表示画面上位置が変わらず固定表示される他の意匠表示部（シンボルマーク、目盛など）Ｄの近傍になる場合は、本発明では、グラフィックコントロールＣＰＵ４により、特定の数字「１」を含む２桁の数値の表示位置を、意匠表示部Ｄの表示位置を基準とする所定位置に変更する。
【００３２】
すなわち、２桁の数値の左側の数字が特定数字「１」以外の数字ならば、たとえば図４（Ｂ）に示すように、左側の数字「２」と意匠表示部Ｄの表示間隔は予め設定された間隔Ｌ２であり、３，４など他の数字の場合もこの間隔Ｌ２は変わらない。
【００３３】
一方、２桁の数値の左側の数字が特定数字「１」に変化すると、特定数字「１」の表示位置は、従来の位置よりも左側にずらされ、それに伴い、数値「１０」全体の表示位置が、左側の特定数字「１」と意匠表示部Ｄの表示間隔がＬ１（＝Ｌ２）となるように変更される。
【００３４】
このように、固定値にある意匠表示部Ｄの表示位置を基準として、特定数字「１」を含む数値全体の表示位置が、特定数字「１」を含まない数値の表示位置と同じになるように変更されるので、数値を構成する数字の中に特定数字が含まれる場合も、含まれない場合に対して違和感の無い表示が可能となる。
【００３５】
また、図５（Ａ）に示すように、何らかの状態を示す変化する２桁の数値が、同様に何らかの状態を示す３桁の数値、たとえば「１２３」と縦に並ぶ位置関係に表示される場合は、本発明では、グラフィックコントロールＣＰＵ４により、特定の数字「１」を含む２桁の数値の表示位置を、３桁の数値「１２３」の表示位置を基準とする所定位置、すなわち、３桁の数値の表示中心と同じ表示中心となるように変更する。
【００３６】
すなわち、２桁の数値の左側の数字が特定数字「１」ならば、特定数字「１」の表示位置は、従来の位置よりも左側にずらされ、それに伴い、数値「１０」全体が、その表示中心が３桁の数値「１２３」の表示中心と一致するように変更される。
【００３７】
このように、他の複数桁の数値の表示位置を基準として、特定数字「１」を含む数値全体の表示位置が、表示中心が一致するように変更されるので、数値を構成する数字の中に特定数字が含まれる場合も、含まれない場合に対して違和感の無い表示が可能となる。
【００３８】
また、図５（Ｂ）に示すように、何らかの状態を示す変化する２桁の数値が、同様に何らかの状態を示す２桁の数値、たとえば「２０」と縦に並ぶ位置関係に表示される場合は、本発明では、グラフィックコントロールＣＰＵ４により、特定の数字「１」を含む２桁の数値の表示位置を、２桁の数値「２０」の表示位置を基準とする所定位置、すなわち、２桁の数値「２０」の表示中心と同じ表示中心となるように変更する。
【００３９】
すなわち、２桁の数値の左側の数字が特定数字「１」ならば、特定数字「１」の表示位置は、従来の位置よりも左側にずらされ、それに伴い、数値「１０」全体が、その表示中心が２桁の数値「２０」の表示中心と一致するように変更される。
【００４０】
このように、他の複数桁の数値の表示位置を基準として、特定数字「１」を含む数値全体の表示位置が、表示中心が一致するように変更されるので、数値を構成する数字の中に特定数字が含まれる場合も、含まれない場合に対して違和感の無い表示が可能となる。
【００４１】
次に、上述のグラフィックコントロールＣＰＵ４で実行される表示制御処理を図２に示すフローチャートを参照して説明する。まず、初期化を行い（ステップＳ１）、次に、メインＣＰＵ１から複数桁の数値を表す表示値信号を取り込む（ステップＳ２）。次に、複数桁の数値を構成する数字の中に特定数字「１」が含まれている場合に、特定数字「１」と他の数字の表示間隔が他の数字同士の表示間隔と均一になるように、表示間隔の変更を行って数値の表示位置を変更する（ステップＳ３）。
【００４２】
次に、数値全体の表示位置を、ドットマトリクス型表示器７の画面に表示される他の意匠表示部Ｄの表示位置または他の複数桁の数値の表示位置を基準とする所定位置に変更し（ステップＳ４）、次に、変更処理済みの表示信号を出力する（ステップＳ５）。出力された表示信号は、グラフィックデータメモリ６に格納されると共に、グラフィックコントロールＩＣ５を介してドットマトリクス型表示器７で表示される。
【００４３】
以上の通り、本発明の実施の形態について説明したが、本発明はこれに限らず、種々の変形、応用が可能である。
【００４４】
たとえば、上述の実施の形態では、ドットマトリクス型表示器７として、ＬＣＤを用いているが、有機ＥＬやプラズマディスプレイ等の他の表示素子を用いても良い。
【００４５】
また、表示位置変更後の表示画像データを、予めグラフィックデータメモリ６に記憶させておき、特定数字「１」を含む数値になったときに、それを読み出してドットマトリクス型表示器７で表示させるように制御しても良い。
【００４６】
また、上述の図４（Ａ）に示す実施形態では、意匠表示部Ｄと特定数字「１」の左端との間隔Ｌ１を、意匠表示部Ｄと数字「２」の左端との間隔Ｌ２に一致するように、数値「１０」の表示位置を変更させている。しかしながら、意匠表示部Ｄと特定数字「１」の中央位置との間隔を、意匠表示部Ｄと数字「２」の中央位置との間隔に一致するように、数値「１０」の表示位置を変更させても良い。
【００４７】
また、図２のステップＳ３，Ｓ４では、数字の表示間隔の変更を行った後、数値全体の表示位置を変更している。しかしながら、数値全体の表示位置を変更した後、当該数値を構成する数字の表示間隔の変更を行っても良い。
【００４８】
また、上述の図５（Ｂ）に示す実施形態では、特定数字「１」の表示位置を変更すると共に、数値「１０」全体の表示位置を変更している。しかしながら、特定数字「１」が含まれる場合に、特定数字「１」の表示位置を変更せずに、数値「１０」の表示中心と数値「２０」の表示中心が一致するように、数値「１０」全体の表示位置を変更しても良い。
【図面の簡単な説明】
【００４９】
【図１】本発明に係る表示制御装置の実施の形態を適用した車両用表示装置の構成を示すブロック図である。
【図２】表示制御処理を説明するフローチャートである。
【図３】具体的な表示制御の例を説明する図である。
【図４】（Ａ）および（Ｂ）は、具体的な表示制御の例を説明する図である。
【図５】（Ａ）および（Ｂ）は、具体的な表示制御の例を説明する図である。
【図６】（Ａ）および（Ｂ）は、従来の表示制御の一例を説明する図である。
【図７】（Ａ）〜（Ｄ）は、従来の表示制御の他の例を説明する図である。
【符号の説明】
【００５０】
４  グラフィックコントロールＣＰＵ（制御手段、表示位置変更手段）
５  グラフィックコントロールＩＣ
６  グラフィックデータメモリ
７  ドットマトリクス型表示器（表示手段）
【図１】
0004820123.tif 000002
【図２】
0004820123.tif 000003
【図３】
0004820123.tif 000004
【図４】
0004820123.tif 000005
【図５】
0004820123.tif 000006
【図６】
0004820123.tif 000007
【図７】
0004820123.tif 000008